(57)【特許請求の範囲】
【請求項１】
肌対向面を形成する肌側シートと非肌対向面を形成する非肌側シートと吸収性コアを含む吸収体とを備え、長手方向に前方部、排泄部対向部及び後方部を有する吸収性物品であって、
前記肌側シートは、前記吸収性コアと重なる部分が、液透過性の表面シートを含んでなり、
前記吸収性コアは、前記吸収性物品の長手方向に長い形状を有し、前記排泄部対向部に、該吸収性コアの両側部を形成する一対の側方領域と、該一対の側方領域間に位置し、該各側方領域よりも坪量が大きい中央高坪量領域とを有しており、
前記中央高坪量領域は、前記吸収性コアを、前記排泄部対向部における該吸収性コアの幅方向の長さを７等分して７つの領域に区分した際の中央の５つの領域内にあり、
前記排泄部対向部には、肌対向面に、前記表面シート及び前記吸収体が一体的に凹陥した前記吸収性コアの長手方向に延びる一対の側方防漏溝を有し、
前記中央高坪量領域を、その最大幅を３等分する２本の平行直線で、中央域と中央側部域とに区分したときに、該各側方防漏溝は、前記中央側部域と前記側方領域とに跨り、且つ前記中央域に入り込んでおらず、
前記中央高坪量領域の少なくとも前記中央域は、前記側方領域における前記側方防漏溝が形成されていない部分の少なくとも一部よりも厚みが厚くなっている、吸収性物品。
【請求項２】
前記中央高坪量領域における少なくとも前記中央域が、前記肌対向面側の面に突出する突出部を形成している、請求項１に記載の吸収性物品。
【請求項３】
前記各側方防漏溝は、前記中央側部域と重なる第１部分と、第１部分から前記吸収性コアの長手方向に対して斜めに延出して前記側方領域上に位置する第２部分とを有する、請求項１又は２に記載の吸収性物品。
【請求項４】
前記各側方防漏溝は、第２部分として、第１部分より前方に位置する前側第２部分と、第１部分より後方に位置する後側第２部分とを有している、請求項３に記載の吸収性物品。
【請求項５】
前記各側方防漏溝は、複数の第１部分と、複数の第１部分のそれぞれに対応して形成された前記前側第２部分及び前記後側第２部分を有する、請求項４に記載の吸収性物品。
【請求項６】
前記中央高坪量領域の前記中央域に、前記吸収体、又は前記表面シート及び前記吸収体を貫通する貫通孔が複数形成されている、請求項１〜５の何れか１項に記載の吸収性物品。
【請求項７】
前記一対の側方防漏溝は、連続して又は他の防漏溝との間に幅方向重複部分を有して、前記前方部及び前記後方部の一方又は双方まで延在している、請求項１〜６の何れか１項に記載の吸収性物品。
【請求項８】
前記中央側部域は、前記側方領域及び前記中央域よりも密度が高い高密度領域を有しており、前記各側方防漏溝は、前記高密度領域と前記側方領域とに跨るように形成されている、請求項１〜７の何れか１項に記載の吸収性物品。
【請求項９】
前記高密度領域は、前記肌対向面側から前記非肌対向面側に向かって窪んだ局所的高密度部が、相互間に間隔を設けて散点状に形成されている、請求項８に記載の吸収性物品。
【発明の詳細な説明】
【技術分野】
【０００１】
本発明は、生理用ナプキン、パンティライナー（おりものシート）、失禁パッド等の吸収性物品に関する。
【背景技術】
【０００２】
従来、着用者の身体に対するフィット性の向上等の観点から、生理用ナプキン等の吸収性物品に、着用者の肌側に向かって突出する隆起部を設けることが広く行われている。そのような吸収性物品においては、内部に配される吸収性コアの一部に突出部を設けることが一般的である。
また、吸収体における隆起部を挟んでその両側に位置する部分に、隆起部を形成する部分よりも密度が高い領域を設けて、隆起部から吸収された液の移動を制御する方法も提案されており（特許文献１，２参照）、その特許文献１，２には、密度が高い領域よりも幅方向の外側に、表面シート及び吸収体が一体的に凹陥した防漏溝を形成することも記載されている。
【先行技術文献】
【特許文献】
【０００３】
【特許文献１】特開２００２−３４５８８８号公報
【特許文献２】特開２０１１−１２０６９６号公報
【発明の概要】
【発明が解決しようとする課題】
【０００４】
ところで、生理用ナプキンが吸収する液体である経血は、生理期間中の時期や個人差、そのときどきの体調等によって、粘度が低い場合と粘度が比較的高い場合とがある。べたつきや肌の湿潤による痒み等の不都合を防止する観点から、そのいずれの場合も、吸収性物品上に排泄された液体を、極力短時間に肌から隔離した状態となるように吸収体に吸収させることが望まれるが、従来の吸収性物品は、粘度が低い液体に高い吸収性能を示すものであっても、粘度が高い液体には十分な吸収性能を示さないものが多かった。
【０００５】
本発明は、粘度が比較的高い体液についても良好な吸収性能を示す吸収性物品に関する。
【課題を解決するための手段】
【０００６】
本発明は、肌対向面を形成する肌側シートと非肌対向面を形成する非肌側シートと吸収性コアを含む吸収体とを備え、長手方向に前方部、排泄部対向部及び後方部を有する吸収性物品であって、前記肌側シートは、前記吸収性コアと重なる部分が、液透過性の表面シートを含んでなり、前記吸収性コアは、前記吸収性物品の長手方向に長い形状を有し、前記排泄部対向部に、該吸収性コアの両側部を形成する一対の側方領域と、該一対の側方領域間に位置し、該各側方領域よりも坪量が大きい中央高坪量領域とを有しており、前記中央高坪量領域は、前記吸収性コアを、前記排泄部対向部における該吸収性コアの幅方向の長さを７等分して７つの領域に区分した際の中央の５つの領域内にあり、前記排泄部対向部には、肌対向面に、前記表面シート及び前記吸収体が一体的に凹陥した前記吸収性コアの長手方向に延びる一対の側方防漏溝を有し、前記中央高坪量領域を、その最大幅を３等分する２本の平行直線で、中央域と中央側部域とに区分したときに、該各側方防漏溝は、前記中央側部域と前記側方領域とに跨り、且つ前記中央域に入り込んでおらず、前記中央高坪量領域の少なくとも前記中央域は、前記側方領域における前記側方防漏溝が形成されていない部分の少なくとも一部よりも厚みが厚くなっている、吸収性物品を提供するものである。
【発明の効果】
【０００７】
本発明によれば、粘度が比較的高い体液についても良好な吸収性能を示す吸収性物品が提供される。
【図面の簡単な説明】
【０００８】
【図１】図１は、本発明の一実施形態である生理用ナプキンの一部破断斜視図である。
【図２】図２（ａ）は、図１のＩＩａ−ＩＩａ線断面図であり、図２（ｂ）は、図１のＩＩｂ−ＩＩｂ線断面図である。
【図３】図３は、図１に示す生理用ナプキンにおける防漏溝と吸収性コアの各部との位置関係を示す模式平面図であり、吸収体と重なる範囲のみを示す図である。
【図４】図４は、本発明の他の実施形態における圧搾溝と吸収性コアの各部との位置関係を示す模式平面図である。
【図５】図５は、圧縮部の好ましい配置を示す吸収体の平面図である。
【図６】図６（ａ）及び図６（ｂ）は、それぞれ、圧縮部の好ましい配置の例を示す拡大平面図である。
【図７】図７は、図１に示す生理用ナプキンの吸収性コアの製造に好ましく使用される積繊装置の要部を示す模式図である。
【図８】図８（ａ）〜図８（ｃ）は、図１に示す生理用ナプキンの吸収体の製造方法の説明図である。
【発明を実施するための形態】
【０００９】
以下本発明を、その好ましい実施形態に基づき図面を参照しながら説明する。
本発明の吸収性物品の一実施形態である生理用ナプキン１（以下、単にナプキン１ともいう）は、図１に示すように、肌対向面を形成する肌側シート１０と、非肌対向面を形成する非肌側シート１３と、吸収性コア４０を含む吸収体１４とを備えている。図２に示すように、吸収体１４は、肌側シート１０と非肌側シート１３との間に配置されている。
生理用ナプキン等の吸収性物品において、肌対向面Ｐは、着用時に着用者の肌側に向けられる面であり、前述した肌側シート１０は、その肌対向面を形成している。また、生理用ナプキン等の吸収性物品において、非肌対向面Ｑは、着用時に着用者の肌側とは反対側、通常衣類側に向けられる面であり、前述した非肌側シート１３は、その非肌対向面を形成している。
また、ナプキン１は、その長手方向Ｘに、前方部Ａ、排泄部対向部Ｂ及び後方部Ｃを有している。生理用ナプキン等の吸収性物品において、長手方向Ｘとは、着用時に着用者の前後方向と一致する方向であり、横方向Ｙとは、当該吸収性物品の平面視において、長手方向Ｘと直交する方向である。また、排泄部対向部Ｂは、着用時に、着用者の液排泄部（膣口等）が幅方向中央部に対向配置される部位であり、前方部Ａは、着用時に排泄部対向部Ｂよりも腹側に配される部位であり、後方部Ｃは、着用時に排泄部対向部Ｂよりも背中側に配される部位である。
【００１０】
ナプキン１は、幅方向Ｙの中央部に、肌側シート１０、吸収性コア４０及び非肌側シート１３が厚み方向に積層された構成の吸収性本体１５を有しており、排泄部対向部Ｂにおける吸収性本体１５の左右両側に一対のウイング部１７，１７が形成され、後方部Ｃにおける吸収性本体１５の左右両側に一対の後方フラップ部１８，１８が形成されている。
本実施形態における肌側シート１０は、図１に示すように、液透過性の表面シート１１及びその両側に接合された一対のサイドシート１２，１２を備えている。液透過性の表面シート１１は、ナプキン１の幅方向Ｙの中央部に長手方向Ｘに延びて配されている。サイドシート１２は、ナプキン１の長手方向Ｘの両側部に配され、図２（ａ）に示すように、それぞれ、内側縁部１２ａ側の一部を表面シート１１上に重ねた状態で、内側縁部１２ａからやや幅方向Ｙの外方の位置において表面シート１１に接合されている。一対のウイング部１７，１７及び一対の後方フラップ部１８，１８は、吸収性本体１５の両側縁から延出したサイドシート１２及び非肌側シート１３からなる。ウイング部１７の非肌側シート１３側の面には、ショーツのクロッチ部の非肌対向面に固定するためのウイング部粘着部（図示せず）が設けられ、吸収性本体１５の非肌対向面には、吸収性本体１５をショーツの内面に固定するための本体粘着部（図示せず）が設けられている。後方フラップ部１８の非肌側シート１３側の面にも、ショーツの内面に固定するため粘着部が設けられていることが好ましい。
【００１１】
肌側シート１０と非肌側シート１３とは、吸収体１４の周縁部より外方に延出した部分が接着剤で互いに接合されていると共に、ナプキン１の周縁部においてヒートシール等による熱融着により接合されている。
【００１２】
本実施形態における吸収体１４は、図１及び図３に示すように、ナプキン１の長手方向Ｘと同方向に長い縦長形状の吸収性コア４０を備えている。吸収性コア４０は、パルプ繊維等の繊維材料からなる繊維集合体又は該繊維集合体の繊維間に高吸水性ポリマーを保持させたものからなる。また吸収体１４は、吸収性コア４０を包むコアラップシート（図示せず）を備えている。詳細には、吸収性コア４０は、長手方向Ｘの両側縁部及び上下両面の全域を、ティッシュペーパーや透水性の不織布からなるコアラップシートによって被覆されている。コアラップシートは、吸収性コア４０の形成材料の漏れ出しを防止したり、吸収性コア４０の保形性を高める目的で使用されている。吸収性コア４０は、一枚又は複数枚のコアラップシートにより、吸収性コア４０の幅方向に沿う横断面の全周が被覆されていることが好ましい。例えば、吸収性コア４０の肌対向面又は非肌対向面側に配された一枚のコアラップシートの両側部が、吸収性コア４０の他面側に折り返され、その折り返された部分が、前記他面を被覆している別のコアラップシートの両側部上に積層されていることも好ましい。その積層された部分のシート間は、接合されていなくても良いが、接着されていることが好ましい。
【００１３】
肌側シート１０と吸収体１４との間、吸収性コア４０とその肌対向面側を被覆するコアラップシートとの間、吸収性コア４０とその非肌対向面側を被覆するコアラップシートとの間は、ドットパターン、スパイラルパターン、ストライプパターン、市松パターン等の間欠パターンでパターン塗工された接着剤により互いに接合されていることが好ましい。
なお、本実施形態のナプキン１においては、吸収性コア４０の長手方向及び幅方向が、ナプキン１（吸収性物品）の長手方向Ｘ及び幅方向Ｙに一致しているため、吸収性コア４０の長手方向及び幅方向も長手方向Ｘ及び幅方向Ｙと表現する。また、コアラップシートが図示されていないが、圧縮部６の位置においては、コアラップシートが吸収性コア４０と共に、吸収体１４の肌対向面Ｐ側から非肌対向面Ｑ側に向かって凹陥している。なお、図２（ａ）及び図２（ｂ）を纏めて図２、図８（ａ）〜図８（ｃ）を纏めて図８ともいう。
【００１４】
吸収性コア４０は、図２及び図３に示すように、排泄部対向部Ｂに、吸収性コア４０の両側部を形成する一対の側方領域４５，４５と、一対の側方領域４５，４５間に位置し、各側方領域４５よりも坪量が大きい中央高坪量領域４１とを有している。中央高坪量領域４１は、それが存在している領域、すなわち排泄部対向部Ｂにおける吸収性コア４０の幅方向の長さを７等分して７つの領域に区分した際の中央の５つの領域内にある。言い換えれば、排泄部対向領域Ｂにおける吸収性コア４０の幅方向長さを７等分したときの中央５つの領域内に中央高坪量領域４１が収まるように形成されている。このために、中央高坪量領域が着用者の排泄部に選択的に配置され易くなっている。吸収性コア４０の幅方向の長さ、すなわち吸収性コア４０の幅が排泄部対向部Ｂの長手方向において変化している場合は、最大幅部分の幅方向の長さを７等分するように区分する。また、区分は、それぞれナプキン１の長手方向に延びる互いに平行な直線で区分する。
【００１５】
本実施形態における中央高坪量領域４１は、図３に示すように、平面視して長円状に形成されており、吸収性コア４０の幅方向Ｙの中央部に形成されている。中央高坪量領域４１は、吸収性コア４０の長手方向Ｘに沿う長さが吸収性コア４０の幅方向Ｙに沿う長さより長い縦長の形状に形成されていることが好ましい。一対の側方領域４５，４５は、吸収性コア４０の長手方向の両側部に、それぞれ吸収性コア４０の長手方向Ｘに延びて形成されている。側方領域４５は、中央高坪量領域４１の両側端部４１ｓそれぞれの外方に各側端部４１ｓに沿って延びるように形成されており、中央高坪量領域４１の側端部４１ｓに沿う内側端部４５ａと、吸収性コア４０の側縁部の一部を構成する直線状の外側端部４５ｂとを有している。中央高坪量領域４１の平面視形状は、長円状に代えて、楕円状、縦長矩形状、中央部が括れた長円又は縦長矩形状、正方形状、円形状等の他の形状であっても良い。
【００１６】
また、本実施形態における吸収性コア４０は、図２及び図３に示すように、中央高坪量領域４１を、その最大幅Ｗ１を３等分する２本の平行直線Ｌｓ，Ｌｓで、中央域４２と中央側部域４３，４３とに区分したときに、中央高坪量領域４１の少なくとも中央域４２は、各側方領域４５よりも厚みが厚くなっている。また、中央域４２の厚みは、中央側部域４３，４３における、後述する防漏溝が設けられた領域以外の部分の少なくとも一部よりも厚い。２本の平行直線Ｌｓ，Ｌｓは、ナプキン１の長手方向Ｘと平行に引く。
より詳細には、本実施形態における吸収性コア４０は、中央高坪量領域４１の長手方向の両側部に高密度領域４３ｄを有し、該高密度領域４３ｄのそれぞれは、高密度領域４３ｄと隣り合う側方領域４５及び中央域４２のそれぞれよりも密度が高くなっている。そして、その一対の高密度領域４３ｄ，４３ｄ間に位置し中央部に中央域４２を有する領域４４が、側方領域４５よりも厚みの厚い厚肉領域４４となっている。すなわち、中央側部域４３における高密度領域４３ｄよりも、中央域４２は厚みが厚くなっている。
【００１７】
厚肉領域４４は、図２に示すように、吸収性コア４０における肌対向面側の面に突出する突出部５を形成している。突出部５は、厚肉領域４４の厚み方向の一部からなる。また、厚肉領域４４及び該厚肉領域４４の一部からなる突出部５は、吸収性コア４０の幅方向Ｙにおいて、中央高坪量領域４１の中央部に形成されており、吸収性コア４０の平面視において、吸収性コア４０の長手方向Ｘに長い形状を有している。また高密度領域４３ｄは、中央高坪量領域４１の長手方向の両側部に、それぞれ吸収性コア４０の長手方向Ｘに延びて形成され、吸収性コア４０の長手方向Ｘに長い形状を有している。本実施形態における、中央域４２、中央側部域４３、厚肉領域４４、突出部５及び高密度領域４３ｄは、何れも、吸収性コア４０の長手方向Ｘに沿う長さが吸収性コア４０の幅方向Ｙに沿う長さより長い縦長の形状に形成されている。なお、高密度領域４３ｄは、吸収性コア４０の長手方向に沿う一対の外側端部が、側方領域４５に隣接している。
【００１８】
また、中央域４２、中央側部域４３、厚肉領域４４、突出部５及び高密度領域４３ｄは、何れも、ナプキン１等の吸収性物品における少なくとも排泄部対向部Ｂに形成されている。図１に示す例では、排泄部対向部Ｂの前端部付近から後方部Ｃの一部に亘って形成されている。中央域４２、中央側部域４３、厚肉領域４４、突出部５及び高密度領域４３ｄは、何れも、吸収性コア４０の長手方向Ｘの全長の２０％以上１００％以下の長さに亘って形成されていることが好ましく、吸収性コア４０の全長の３０％以上１００％以下の長さに亘って形成されていることがより好ましい。
【００１９】
図２及び図３に示すように、本実施形態のナプキン１は、肌対向面に、表面シート１１及び吸収体１４が一体的に凹陥した防漏溝としての圧搾溝７を有している。吸収性コア４０は、圧搾溝７（側方圧搾溝、前側圧搾溝、後側圧搾溝）が形成されている部分の密度が、該圧搾溝７（側方圧搾溝、前側圧搾溝、後側圧搾溝）が形成されていない部分の密度よりも高い。吸収性コア４０は、中央側部域における側方圧搾溝が形成されている部分の密度が、該中央側部域における側方圧搾溝が形成されていない部分の密度よりも高く、吸収性コア４０の側方領域における側方圧搾溝が形成されている部分の密度が、該側方領域における側方圧搾溝が形成されていない部分の密度よりも高い。圧搾溝７は、例えば、表面シート１１と吸収体１４とを積層した積層体、又はこれらの更に他のシートを積層した積層体を、周面に圧搾溝の形状に対応する形状の凸条部を有する加熱可能なエンボスロールと、表面平滑なアンビルロールとの間に、その表面シート側の面をエンボスロール側にして挿通してエンボス加工を施し、前記積層体を、前記凸条部とアンビルロール表面との間で部分的に圧搾することによって形成することができる。圧搾溝７は、図示しないが、その底部に、圧縮の程度が異なる高圧搾部と低圧搾部とを有している。
【００２０】
また本実施形態のナプキン１は、前記の圧搾溝７として、図１〜図３に示すように、概ね吸収性コア４０の長手方向Ｘに延びる一対の側方圧搾溝７１，７１と、概ね吸収性コア４０の幅方向Ｙに延びる、前側圧搾溝７２及び後側圧搾溝７３とを有している。ナプキン１の平面視において、前側圧搾溝７２は、ナプキン１の前側に配される吸収性コア４０の前端部４０ａに向かって凸の円弧状をなしており、後側圧搾溝７３は、ナプキン１の後側に配される吸収性コア４０の後端部４０ｂに向かって凸の円弧状をなしている。
【００２１】
また、側方圧搾溝７１，７１は、それぞれ、中央側部域４３と側方領域４５とに跨るように形成されている。「中央側部域４３と側方領域４５とに跨るように形成」とは、吸収性コア４０の中央側部域４３上に位置する部分と側方領域４５上に位置する部分とを有するように形成されていることを意味する。また、側方圧搾溝７１，７１は、それぞれ、中央域４２に入り込んでいない
より詳細に説明すると、本実施形態のナプキン１における一対の側方圧搾溝７１，７１は、図３に示すように、それぞれ、吸収性コア４０の幅方向Ｙに蛇行しながら長手方向Ｘに延びており、それぞれ、中央側部域４３と重なる第１部分７１ｂと、その第１部分７１ｂから、吸収性コア４０の長手方向Ｘに対して斜めに延出して側方領域４５上に位置する第２部分７１ａ，７１ｃとを有している。
また本実施形態における側方圧搾溝７１は、個々の第１部分７１ｂに対して、第１部分７１ｂより前方に位置する前側第２部分７１ａと、第１部分７１ｂより後方に位置する後側第２部分７１ｃとを有している。
更に本実施形態における側方圧搾溝７１は、図３に示すように、中央側部域４３と重なる第１部分７１ｂを、それぞれ、吸収性コア４０の長手方向Ｘに離間した複数個所（図示例では２箇所）に有しており、その複数の第１部分７１ｂのそれぞれについて、吸収性コア４０の長手方向Ｘに対して斜めに延出して側方領域４５上に位置する、前側第２部分７１ａ及び後側第２部分７１ｃを有している。
【００２２】
本実施形態における側方圧搾溝７１について更に説明すると、中央側部域４３と重なる第１部分７１ｂは、中央側部域４３における高密度領域４３ｄと重なっている。また、中央側部域４３と重なる第１部分７１ｂは、吸収性コア４０の幅方向Ｙの内方に向かって凸に屈曲又は湾曲した平面視形状を有しており、側方圧搾溝７１に交互に形成された内側湾曲部分及び外側湾曲部分のうちの内側湾曲部分を形成している。また、側方圧搾溝７１は、吸収性コア４０の長手方向Ｘに離間した２つの第１部分７１ｂのうち前側（前方部Ａ側）の第１部分７１ｂについての後側第２部分７１ｃと、後側（後方部Ｃ側）の第１部分７１ｂについての前側第２部分７１ａとが連続しており、これらが一体となって、吸収性コア４０の幅方向Ｙの外方に向かって凸に屈曲又は湾曲した平面視形状の外側湾曲部分を形成している。
また、一対の側方圧搾溝７１，７１は、図３に示すように、前端部及び後端部が、前側圧搾溝７２及び後側圧搾溝７３と結合しており、これらが全体として、中央高坪量領域４１の中央域４２や厚肉領域４４の周囲を環状に囲む環状の圧搾溝を形成している。
【００２３】
本実施形態のナプキン１は、通常の生理用ナプキンと同様に、ショーツのクロッチ部に固定して使用される。
ナプキン１の着用中に、ナプキン１の排泄部対向部Ｂの表面シート１１上に経血等の液体が排出されると、その液体は、中央高坪量領域４１の少なくとも中央域４２が厚肉であることによって着用者の液排泄部等にフィットし易くなっている中央高坪量領域４１上の表面シート１１を透過して高坪量の中央高坪量領域４１内に迅速に吸収される。中央高坪量領域４１の中央側部域４３に、高坪量領域を圧搾することにより密度を高くされた側方圧搾溝７１が形成されることで、中央高坪量領域４１の中の側方圧搾部７１が形成されていない領域と形成されている部分での密度勾配が生じ、中央高坪量領域４１に吸収された液体は、側方圧搾部７１に向かって素早く移行しやすくなる。
更に、側方圧搾溝７１は、中央側部領域４３から側方領域４５に跨るように形成されているため、中央側部域４３の側方圧搾溝７１に移行した液は、側方圧搾溝７１が液の通路となって、側方領域４５へ移行、拡散する。逆に、一気に大量の体液が排泄された場合に中央高坪量領域４１の表面を伝わって流れた体液が側方領域４５の側方圧搾溝７１で塞き止められ、一定量の体液は圧搾溝７１を伝わって中央寄りの高坪量領域へと戻されうるため、体液の横漏れが抑制され易い。
このように、排出された液体を素早く吸収し、側方領域４５まで拡散させることができるため、中央高坪量領域４１上の表面シート１１中や表面シート１１と吸収体１４との間に液体が滞留することが抑制され、表面シート１１中や表面シート１１と吸収体１４との間に液体が滞留することが抑制される。
このような作用により、本実施形態のナプキン１によれば、粘度が低い液体のみならず比較的粘度が高い液体の場合であっても、中央高坪量領域４１の中央側部領域４３に側方圧搾部７１が形成されているため粗密勾配の効果が有効に発揮され、表面シート１１中や表面シート１１と吸収体１４との間に液体が滞留することが効果的に抑制され、液体が肌に再付着することによるべたつきや不快感の発生を効果的に抑制することができ、また、肌が過度に湿潤状態となることによって誘発される肌の痒み等も効果的に防止することができる。
なお、側方圧搾溝７１が、中央域４２に入り込んでいないことは、ナプキン１が過度に硬くならず、着用者に柔らかくフィットするという利点がある。
【００２４】
また、ナプキン１の中央高坪量領域４１における中央域４２や中央域４２を含む厚肉領域４４が、肌対向面Ｐ側の面に突出する突出部５を形成していると、突出部５が着用者の液排泄部等によりフィットし易くなるため、排泄された液体が中央高坪量領域４１に確実に吸収されるため、上述した効果が一層確実に奏される。
また、中央高坪量領域４１が、側方領域４５及び中央域４２よりも密度が高い高密度領域４３ｄを有し、各側方圧搾溝７１が、高密度領域４３ｄと側方領域４５とに跨るように形成されていると、中央高坪量領域４１で吸収された液体が、中央域４２から中央側部域４３の高密度領域４３ｄを介してより側方圧搾溝７１へ移行しやすくなり、更には中央域４２で排泄されなかった場合や中央域４２で吸収できずに表面シート１１上、表面シート１１中または表面シート１１と吸収体１４との間を流れた場合でも、高密度領域４３ｄで吸収されるため、上述した効果が一層確実に奏される。
【００２５】
また、本実施形態のナプキン１における各側方圧搾溝７１は、中央側部域４３と重なる第１部分７１ｂと、第１部分７１ｂから吸収性コア４０の長手方向Ｘに対して斜めに延出して側方領域４５上に位置する第２部分（前側第２部分７１ａ及び後側第２部分７１ｃ）とを有するため、中央側部域４３と重なる第１部分７１ｂに移行した液体を側方領域のＸ方向にも誘導させることができ、吸収コア４０を有効利用することができる。
斯かる効果は、前側第２部分７１ａ及び側方第２部分７１ｃの何れか一方のみを有する場合に奏されるが、前側第２部分７１ａ及び側方第２部分７１ｃの両者を有する場合に一層確実に奏される。
【００２６】
また、本実施形態のナプキン１における各側方圧搾溝７１は、中央側部域４３と重なる第１部分７１ｂを複数有しており、その複数の第１部分７１ｂのそれぞれに対応させて、前側第２部分７１ａ及び側方第２部分７１ｃを有しているため、中央高坪量領域４１と中央側部域４３に形成された側方圧搾溝７１の密度勾配が複数形成されることによって、吸収された液体の移行がより迅速になると共に、液体をの拡散することができるため、吸収コア４０をより有効用することができる。
【００２７】
また、本実施形態のナプキン１は、中央高坪量領域４１の中央域４２に、図１及び図２（ｂ）に示すように、表面シート１１及び吸収体１４を貫通する貫通孔４６を備えている。貫通孔４６は、吸収性コア４０のナプキン１及び吸収性コア４０の長手方向Ｘにおける互いに異なる箇所に複数が形成されている。
表面シート１１及び吸収体１４を貫通する貫通孔４６を排泄部に設けることで、中央域４２における液の引き込み性を向上させることができるため、中央側部領域４３に形成された側方圧搾部７１による粗密勾配の効果がより有効に発揮され、表面シート１１中や表面シート１１と吸収体１４との間に液体が残留することを一層効果的に防止することができる。表面シート１１及び吸収体１４を貫通する貫通孔４６に代えて、吸収体１４のみを貫通する貫通孔を設けた場合も同様の効果が得られる。
中央高坪量領域４１の中央域４２に設ける貫通孔４６の個数は、例えば２個以上１５０個以下であり、好ましくは２個以上１００個以下である。
【００２８】
また、本実施形態のナプキン１における一対の側方圧搾溝７１，７１は、図３に示すように、排泄部対向部Ｂに配されている部分から連続して前方部Ａ及び後方部Ｃまで延在している。
側方圧搾溝７１，７１が、前方部Ａ及び後方部Ｃの一方又は双方まで延在していると、前方部Ａ又は後方部Ｃにおける吸収体１４を有効活用することができ、また中央高坪量領域４１に吸収された液を側方圧搾溝７１によって前方部Ａおよび後方部Ｃへ液を移行・拡散させることにより、中央高坪量領域４１における液体の引き込み性を一層向上させることができ、それにより、表面シート１１中や表面シート１１と吸収体１４との間の液残りを一層軽減することができる。図４に示すように、一対の側方圧搾溝７１，７１が、それぞれ、他の圧搾溝７４，７５との間に幅方向重複部分７１ｄを有しており、それらが全体として、前方部Ａ及び後方部Ｃの一方又は双方まで延在している場合も同様の効果が得られる。
【００２９】
また、本実施形態のナプキン１は、図２及び図５に示すように、吸収性コア４０における高密度領域４３ｄに、肌対向面Ｐ側から非肌対向面Ｑ側に向かって窪んだ局所的高密度部である圧縮部６が、相互間に間隔を設けて散点状に複数形成されている。ここで圧縮部とは、本発明における局所的高密度部であり、平面視において、その周囲より密度が高められた部位の意味である。つまり、高密度領域４３には更に密度が高められた局所的高密度部としての圧縮部６が存在している。本実施形態における圧縮部６は、図６（ａ）に示すように、個々の圧縮部６の形状が吸収性コア４０の平面視において円形状であり、複数の圧縮部が、千鳥状の配置パターンで形成されている。より詳細には、高密度領域４３ｄ及び隣接する側方領域４５には、圧縮部６が吸収性コア４０の長手方向Ｘに間隔を開けて直列配置されてなる長手方向圧縮部列６ｘが、吸収性コア４０の横方向に複数列形成されており、隣り合う長手方向圧縮部列６ｘの圧縮部６の長手方向Ｘの位置が半ピッチずれている。図６（ｂ）は、圧縮部６の配置の他の好ましい例を示す図で、圧縮部６が吸収性コア４０の長手方向Ｘに間隔を開けて直列配置されてなる長手方向圧縮部列６ｘが吸収性コア４０の横方向に複数列形成されており、隣り合う長手方向圧縮部列６ｘの圧縮部６の長手方向Ｘの位置が一致している。
圧縮部６は、個々の形状が平面視において円形であることが好ましいが、楕円形、長円形、正方形、長方形、三角形等の非円形の形状であっても良い。なお楕円形及び長円形としては、長軸の長さが短軸の長さの３．０倍以下であることが好ましい。
【００３０】
図６（ａ）及び図６（ｂ）に示す各配置において、個々の長手方向圧縮部列６ｘ中の圧縮部６の配置ピッチＰ１は、圧縮部６の直径Ｌ６に対して、好ましくは１１０％以上、より好ましくは１２０％以上であり、また好ましくは３５０％以下、より好ましくは３４０％以下であり、また好ましくは１１０％以上３５０％以下、より好ましくは１２０％以上３４０％以下である。また、吸収性コア４０の幅方向Ｙにおける長手方向圧縮部列６ｘの配置ピッチＰ２は、圧縮部６の直径Ｌ６に対して、好ましくは１１０％以上、より好ましくは１２０％以上であり、また好ましくは３５０％以下、より好ましくは３４０％以下であり、また好ましくは１１０％以上３５０％以下、より好ましくは１２０％以上３４０％以下である。また、圧縮部６の直径Ｌ６は、好ましくは１．０ｍｍ以上、より好ましくは１．５ｍｍ以上であり、また好ましくは５．０ｍｍ以下、より好ましくは４．０ｍｍ以下であり、また好ましくは１．０ｍｍ以上５．０ｍｍ以下、より好ましくは１．５ｍｍ以上４．０ｍｍ以下である。
なお、圧縮部６が円以外の形状である場合には、圧縮部６の長手方向Ｘの長さ及び幅方向Ｙの長さのうち、長い方の長さを上記「直径」の長さに読み替える。例えば、長手方向Ｘに対して傾いた楕円形状の圧縮部である場合には、圧縮部を長手方向Ｘ成分及び幅方向Ｙ成分に分けて各々の長さを長手方向Ｘ成分の長さ及び幅方向Ｙ成分の長さとし、そのうちの長い方の長さを「直径」の長さとする。また、長手方向圧縮部列６ｘ中の圧縮部６の配置ピッチＰ１は、圧縮部６の上記長手方向Ｘ成分の中心点間の長さとし、幅方向Ｙにおける圧縮部６の配置ピッチＰ２は、圧縮部６の上記横方向Ｙ成分の中心点間の長さとする。
【００３１】
本実施形態のナプキン１においては、図５に示すように、圧縮部６が、高密度領域４３ｄ、及び該高密度領域４３ｄに隣接する側方領域４５の両領域に同様のパターンで散点状に形成されているが、これに代えて、圧縮部６が、高密度領域４３ｄのみに形成されていても良い。高密度領域４３ｄには、吸収性コア４０の幅方向Ｙにおける配置位置が異なる複数の圧縮部が形成されていることが好ましく、例えば、上述した長手方向圧縮部列６ｘが２列以上形成されていることが好ましい。
【００３２】
本実施形態のナプキン１によれば、高密度領域４３ｄに、圧縮部６が形成されて一層密度が高められた部分が存在するため、高密度領域４３ｄと重なる表面シート１１上に排出された液体や、表面シート１１上、表面シート１１中又は表面シート１１と吸収体１４との間を流れて高密度領域４３ｄ上に達した液体の粘度が比較的高い場合であっても、その該液体は、高密度領域４３ｄにスムーズに吸収される。
更に本実施形態のナプキン１においては、高密度領域４３ｄに加えて側方領域４５の肌対向面側の面にも圧縮部６が形成されているため、側方領域４５と重なる表面シート１１上に排出された液体や、表面シート１１上、表面シート１１中又は表面シート１１と吸収体１４との間を流れて側方領域４５上に達した液体の粘度が比較的高い場合であっても、その液体は、側方領域４５にスムーズに吸収される。これにより、粘度が比較的高い排泄液に対する吸収性能が一層向上する。
【００３３】
上述した一又は二以上の効果が一層確実に奏されるようにする観点から、ナプキン１は、以下の一又は二以上の構成を有することが好ましい。
中央高坪量領域４１の坪量は、側方領域４５の坪量の１．２倍以上であることが好ましく、より好ましくは１．５倍以上であり、また、好ましくは３．５倍以下、より好ましくは３．０倍以下であり、また、好ましくは１．２倍以上３．５倍以下、より好ましくは１．５倍以上３．０倍以下である。中央高坪量領域４１の中央域４２、中央側部域４３又は厚肉領域４４の坪量と、側方領域４５の坪量との関係についても同様である。
【００３４】
また、吸収性コア４０は、高密度領域４３ｄ厚みｔ３が、中央域４２又は厚肉領域４４の厚みｔ１の８０％以下であることが好ましく、より好ましくは７５％以下であり、また好ましくは３５％以上、より好ましくは４０％以上であり、また好ましくは３５％以上８０％以下、より好ましくは４０％以上７５％以下である。高密度領域４３ｄの厚みｔ３は、圧搾溝７や圧縮部６が形成されていない部分の厚みである。
【００３５】
また、吸収性コア４０は、高密度領域４３ｄの密度が、中央域４２又は厚肉領域４４の密度の１．２０倍以上であることが好ましく、より好ましくは１．５０倍以上であり、また、好ましくは３．５０倍以下、より好ましくは３．２５倍以下であり、また、好ましくは１．２０倍以上３．５０倍以下、より好ましくは１．５０倍以上３．２５倍以下である。
他方、吸収性コア４０は、高密度領域４３ｄにおける坪量が、中央域４２又は厚肉領域４４の坪量と同等であることが好ましい。ここでいう「同等」は、高密度領域４３ｄの坪量が、中央域４２又は厚肉領域４４の坪量の８０％以上１２０％以下であることを意味する。高密度領域４３ｄの坪量は、中央域４２又は厚肉領域４４の坪量の９０％以上１１０％以下であることがより好ましい。
【００３６】
また側方領域４５の密度は、厚肉領域４４の密度より高くても低くても良く、また同一であっても良いが、側方領域４５の密度は、厚肉領域４４の密度の２０％以上３００％以下であることが好ましく、厚肉領域４４の密度の３０％以上２００％以下であることが更に好ましい。
また、吸収性コア４０は、側方領域４５の厚みｔ５が、中央域４２又は厚肉領域４４の厚みｔ１の７５％以下であることが好ましく、より好ましくは７０％以下であり、また好ましくは３０％以上、より好ましくは３５％以上であり、また好ましくは３０％以上７５％以下、より好ましくは３５％以上７０％以下である。
また、中央域４２又は厚肉領域４４の厚みｔ１は、好ましくは１．５ｍｍ以上、より好ましくは２．０ｍｍ以上であり、また好ましくは８．５ｍｍ以下、より好ましくは８．０ｍｍ以下であり、また好ましくは１．５ｍｍ以上８．５ｍｍ以下、より好ましくは２．０ｍｍ以上８．０ｍｍ以下である。
【００３７】
高密度領域４３ｄに形成されている圧縮部６は、その面積率が、６％以上であることが好ましく、より好ましくは８％以上であり、また好ましくは２５％以下、より好ましくは２０％以下であり、また好ましくは６％以上２５％以下、より好ましくは８％以上２０％以下である。
高密度領域４３ｄに形成されている圧縮部６の面積率とは、高密度領域４３ｄの肌対向面側の面の面積に対する圧縮部の合計面積の割合であり、高密度領域４３ｄから、物品の長手方向Ｘの長さが５０ｍｍ、物品の横方向Ｙの長さが７．５ｍｍの測定片を切り出し、該測定片の肌対向面側の面に存在する圧縮部の合計面積を該測定片の肌対向面側の面の全面積で除した値を１００分率で示す。
【００３８】
側方領域４５に形成されている圧縮部６は、その面積率が、６％以上であることが好ましく、より好ましくは８％以上であり、また好ましくは２５％以下、より好ましくは２０％以下であり、また好ましくは６％以上２５％以下、より好ましくは８％以上２０％以下である。
側方領域４５に形成されている圧縮部６の面積率とは、側方領域４５の肌対向面側の面の面積に対する圧縮部の合計面積の割合であり、側方領域４５から、物品の長手方向Ｘの長さが３０ｍｍ、物品の横方向Ｙの長さが３０ｍｍの測定片を切り出し、該測定片の肌対向面側の面に存在する圧縮部の合計面積を該測定片の肌対向面側の面の全面積で除した値を１００分率で示す。
【００３９】
高密度領域４３ｄの圧縮部６が形成されている部分の厚みｔ６は、高密度領域４３ｄの厚みｔ３、即ち圧縮部６が形成されていない部分の厚みｔ３の、９０％以下であることが好ましく、より好ましくは８５％以下であり、また好ましくは３５％以上、より好ましくは４０％以上であり、また好ましくは３５％以上９０％以下、より好ましくは４０％以上８５％以下である。
側方領域４５の圧縮部６が形成されている部分の厚みは、側方領域４５の厚み、即ち側方領域４５における圧縮部６が形成されていない部分の厚みの、８０％以下であることが好ましく、より好ましくは７５％以下であり、また好ましくは１０％以上、より好ましくは２０％以上であり、また好ましくは１０％以上８０％以下、より好ましくは２０％以上７５％以下である。
【００４０】
吸収性コア４０の各部の厚みは、吸収性コア４０又は吸収性コア４０を含む吸収体１４を、カミソリの刃を用いて吸収性コア４０の幅方向に沿って切断し、その切断された吸収性コア４０の断面を、０．５ｇｆ／ｃｍ2の荷重をかけて、例えば、マイクロスコープ（ＫＥＹＥＮＣＥ社製ＶＨＸ−１０００）を用いて２０〜１００倍の倍率に拡大して計測する。
吸収性コア４０の各部の厚みや各部の幅は、中央高坪量領域４１の吸収性コア４０の長手方向Ｘに沿う長さを２等分する中央位置（図１及び図３中、ＩＩｂで示す位置）において測定する。各部の密度は、吸収性コア４０の断面を観察して得た厚みと吸収性コアの厚み方向の全体を含むように切り出した測定片の坪量から算出する。
【００４１】
また中央高坪量領域４１の幅Ｗ１〔図２（ｂ）参照〕は、吸収性コア４０の全幅Ｗに対する割合が、好ましくは２０％以上、より好ましくは３０％以上であり、また、好ましくは９５％以下、より好ましくは９０％以下であり、また、好ましくは２０％以上９５％以下であり、より好ましくは３０％以上９０％以下である。
厚肉領域４４又は突出部５の幅Ｗ２〔図２（ｂ）参照〕は、それぞれ、中央高坪量領域４１の幅Ｗ１に対する割合が、好ましくは１０％以上、より好ましくは１５％以上であり、また、好ましくは８０％以下、より好ましくは７５％以下であり、また、好ましくは１０％以上８０％以下、より好ましくは１５％以上７５％以下である。厚肉領域４４又は突出部５の幅Ｗ２〔図２（ｂ）参照〕は、それぞれ、好ましくは１０ｍｍ以上、より好ましくは１５ｍｍ以上であり、また、好ましくは６０ｍｍ以下、より好ましくは５０ｍｍ以下であり、また、好ましくは１０ｍｍ以上６０ｍｍ以下、より好ましくは１５ｍｍ以上５０ｍｍ以下である。
高密度領域４３ｄの幅Ｗ３〔図２（ｂ）参照〕は、中央高坪量領域４１の幅Ｗ１に対する割合が、好ましくは２．５％以上、より好ましくは５．０％以上であり、また、好ましくは３５％以下、より好ましくは３０％以下であり、また、好ましくは２．５％以上３５％以下、より好ましくは５．０％以上３０％以下である。高密度領域４３ｄの幅Ｗ３〔図２（ｂ）参照〕は、好ましくは２ｍｍ以上、より好ましくは５ｍｍ以上であり、また、好ましくは２０ｍｍ以下、より好ましくは１５ｍｍ以下であり、また、好ましくは２ｍｍ以上２０ｍｍ以下であり、より好ましくは５ｍｍ以上１５ｍｍ以下である。
【００４２】
上述したナプキン１の吸収体１４は、例えば、外周面に集積用凹部６５を備え、一方向Ｒに回転する積繊ドラム６４と、該積繊ドラム６４の外周面に吸収性コアの形成材料を飛散状態で供給するダクト６９を備えた積繊装置６３（図７参照）を用いて、図８（ａ）に示すように、搬送方向ＭＤと直交する方向ＣＤにおける中央部に幅広厚肉領域４１’を有する積繊体４０Ａを製造し、この積繊体４０Ａを、コアラップシート（図示せず）で被覆した後、図８（ｂ）に示すようなプレス加工及び図８（ｃ）に示すようなエンボス加工を施すことにより製造することができる。図８（ａ）〜図８（ｃ）に示す例について、より具体的に説明すると、搬送方向ＭＤに直交する幅方向ＣＤの中央部に幅広厚肉領域４１’を有する積繊体４０Ａを、コアラップシートで被覆した後、図８（ａ）及び図８（ｂ）に示すように、周面の一部に凹部１７２を備えたプレスロール１７１と周面が平滑なフラットロール１７３とを備えたプレス装置における両ロール間に導入することにより、幅広厚肉領域４１’の側部部分４３’を強く加圧して、高密度領域４３ｄを有する積層体１４Ａを形成した後、図８（ｃ）に示すように、その積層体１４Ａを、エンボス用の凸部１７５を備えたエンボスロール１７４と、周面の一部に凹部１７７を備えたアンビルロール１７６とを備えたエンボス装置における両ロール間に導入することにより、積層体１４Ａの吸収性コア４０における高密度領域４３ｄ及び側方領域４５に、多数の圧縮部６を、図５に示すパターンで形成する。これにより、ナプキン１の吸収体１４が得られる。
【００４３】
圧縮部６を形成するためのエンボス加工は、エンボスロール及びアンビルロールを加熱せずに、被加工物の加圧のみを行うエンボス加工であっても良いし、エンボスロール及びアンビルロールの何れか一方又は双方を加熱して加熱及び加圧を行うエンボス加工であっても良い。
同様に、高密度領域４３ｄを形成するためのプレス加工は、プレスロール及びフラットロールを加熱せずに、被加工物の加圧のみを行うプレス加工であっても良いし、プレスロール及びフラットロールの一方又は双方を加熱して加熱及び加圧を行うプレス加工であっても良い。
また、図８（ｂ）及び図８（ｃ）には、突出部５を形成する厚肉領域４４となる部分は加圧しない場合が示されているが、厚肉領域４４となる部分及び側方領域４５となる部分の何れか一方又は双方を、高密度領域４３ｄとなる側部部分４３’よりも弱く加圧圧縮するようにしても良い。
【００４４】
前述のようにして得られた吸収体１４の厚肉領域４４が突出する片面側に、帯状の表面シートを積層させた後、その積層体を、図示しないエンボス装置における、圧搾溝７の形状に対応する形状の凸条部（エンボス用の凸部）を有するエンボスロールと、そのエンボスロールに対向配置された表面平滑なアンビルロールとの間に挿入して、前述した圧搾溝７を形成する。このエンボス加工は、エンボスロール温度を１００℃以上１５０℃以下に加熱した状態下に行うことが好ましく、１２０℃以上１４０℃以下に加熱した状態下に行うことがより好ましい。アンビルロールは、温度７０℃以上１００℃以下に加熱した状態下に行うことが好ましく、８０℃以上９０℃以下に加熱した状態下に行うことがより好ましい。
エンボス加工後の積層体に帯状の裏面シート１３及び帯状のサイドシート１２を合流させ、公知の方法により一体化させた後、ロータリーダイカッター等の切断手段でナプキンの外形形状に切り抜くことで、目的とするナプキン１が得られる。サイドシート１２，１２は、表面シート１１を吸収体１４上に合流させる前に、表面シート１１の両側に結合させておくことも好ましい。
【００４５】
吸収体１４としては、吸収性物品の吸収体として従来使用されている各種のもの等を特に制限なく用いることができるが、上述したナプキン１の吸収体１４のように、吸収性コア４０と、該吸収性コアを包むコアラップシートから構成されているものが好ましい。
吸収性コア４０及びその製造に用いる積繊体４０Ａは、例えばパルプ繊維等の吸液性繊維の積繊体であっても良いし、該吸液性繊維と吸水性ポリマーとの混合積繊体であっても良い。吸収性コアを構成する吸液性繊維としては、例えば、パルプ繊維、レーヨン繊維、コットン繊維、酢酸セルロース等のセルロール系の親水性繊維が挙げられる。これらの繊維は、１種を単独で又は２種以上を組み合わせて用いることができる。セルロール系の親水性繊維に加えて、ポリエチレン、ポリプロピレン等のポリオレフィン系繊維、ポリエステル、ポリアミド等の縮合系繊維等を含んでいても良い。吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等が挙げられる。繊維及び吸水性ポリマーは、それぞれ一種又は二種以上を組み合わせて用いることができる。
【００４６】
吸収性コア４０は、全体又は一部がパルプ繊維であることが好ましく、吸収性コア４０に含まれる全繊維に対するパルプ繊維の割合は５０〜１００質量％であることが好ましく、より好ましくは８０〜１００質量％であり、更に好ましくは１００質量％である。なお、吸収性コアには、高吸水性ポリマー以外に、消臭剤や抗菌剤等を必要に応じて配合しても良い。また、吸収体１４は、吸収性コア４０のみからなるものでも良い。
【００４７】
コアラップシートとしては、ティッシュペーパーや不織布等の透水性の繊維シートが好適に用いられる。コアラップシートは、一枚のシートで吸収性コアの全体を包んでいても良いし、２枚以上のコアラップシートで吸収性コアの全体を包んでいても良く、例えば、吸収性コアの肌対向面側と非肌対向面側とを別々のシートで被覆していても良い。
吸収体１４が、吸収性コア４０と、吸収性コアを包むコアラップシートから構成されているものである場合、前述した圧縮部６は、吸収性コアのみに設けても良いが、コアラップシートと吸収性コアとに一体に設けることが好ましい。
【００４８】
表面シート１１、サイドシート１２及び非肌側シート１３としては、それぞれ、当該技術分野において従来用いられてきたものと同様のものを特に制限なく用いることができる。例えば、表面シート１１としては、液透過性を有する不織布や、穿孔フィルムを用いることができる。サイドシート１２としては、耐水圧が高い撥水性の不織布、例えば、スパンボンド−メルトブローン−スパンボンド積層不織布等を用いることができる。非肌側シート１３としては、合成樹脂製の液不透過性フィルムや、スパンボンド−メルトブローン−スパンボンド積層不織布等の耐水圧が高い撥水性の不織布を用いることができる。
【００４９】
以上、本発明をその好ましい実施形態に基づき説明したが、本発明は前記実施形態に制限されない。
例えば、側方圧搾溝７１は、中央側部域４３と重なる第１部分７１ｂを、２箇所ではなく、１箇所のみ有するものであっても良く、３箇所以上に有するものであっても良い。また、中央域４２の幅と厚肉領域４４の幅Ｗ２とが一致していても良く、また中央側部域４３の幅と高密度領域４３ｄの幅とＷ３とが一致していても良い。
また、圧縮部６は、高密度領域４３ｄのみに形成され、側方領域４５には、形成されていなくても良い。また、圧縮部６が全く存在しなくても良い。
また、図５に示す吸収性コア４０は、幅方向Ｙの中央部に、圧縮部６が形成されていない矩形状の領域６Ｎが形成されており、該領域６Ｎは、前方部Ａの一部から後方部の一部に亘っているが、圧縮部６が形成されていない領域６Ｎが、吸収性コア４０の長手方向Ｘの全長に亘って存在していても良い。また厚肉領域４４は、肌対向面Ｐ側に突出する突出部を有していても良い。肌側シートは、その全体が液透過性の表面シートからなるものであっても良い。
【００５０】
また、本発明の吸収性物品は、生理用ナプキンの他、パンティライナー（おりものシート）、失禁パッド、使い捨ておむつ等の他の吸収性物品であっても良い。吸収性物品に吸収させる体液としては、経血、下り物（おりもの）、軟便、尿、唾液、血液等が挙げられる。
【符号の説明】
【００５１】
１  生理用ナプキン（吸収性物品）
１０  肌側シート
１１  表面シート
１２  サイドシート
１３  非肌側シート
１４  吸収体
４０  吸収性コア
４１  中央高坪量領域
４２  中央域
４３  中央側部域
４３ｄ  高坪量領域
４４  厚肉領域
４５  側方領域
４６  貫通孔
５  突出部
６  圧縮部（局所的高密度部）
７  圧搾溝（防漏溝）
７１  側方圧搾溝
７１ｂ  第１部分
７１ａ  前側第２部分（第２部分）
７１ｃ  後側第２部分（第２部分）
７１ｂ  前側第２部分
７１ｂ  側方圧搾溝
７１ｂ  後側第２部分
７１ｄ  幅方向重複部分
７２  前側圧搾溝
７３  後側圧搾溝
７４，７５  圧搾溝
１５  吸収性本体
１７  ウイング部
１８  後方フラップ部
【図１】
0006538527.tif 000002
【図２】
0006538527.tif 000003
【図３】
0006538527.tif 000004
【図４】
0006538527.tif 000005
【図５】
0006538527.tif 000006
【図６】
0006538527.tif 000007
【図７】
0006538527.tif 000008
【図８】
0006538527.tif 000009